(57)【要約】【課題】日本の住宅事情を考慮し、より狭小なスペースで使用可能な穿孔部を有する消火用ノズルを提供する。【解決手段】消火用ノズル１において、一端に穿孔部９を有する噴霧部７が、他端に衝打部８が設けられた挿通管部５と、挿通管部５に直接的又は間接的に接続された可撓管部３と、一端が可撓管部３に接続され、他端が給水手段に接続可能に設けられた接続管部４とを備えるものとし、挿通管部５を、全長が1 m未満に形成する。尚、基管部６を更に備えるものとし、基管部６を、挿通管部５に接続し、可撓管部３を、基管部６を介して挿通管部５と接続するものとすることも可能である。【選択図】図１
0003226843.tif 000002
【実用新案登録請求の範囲】
【請求項１】
一端に穿孔部を有する噴霧部が、他端に衝打部が設けられた挿通管部と、
該挿通管部に直接的又は間接的に接続された可撓管部と、
一端が可撓管部に接続され、他端が給水手段に接続可能に設けられた接続管部とを備えた消火用ノズルであって、
該挿通管部は、全長が1 m未満に形成されていることを特徴とする消火用ノズル。
【請求項２】
基管部を更に備え、
該基管部は、前記挿通管部に接続され、
前記可撓管部は、該基管部を介して該挿通管部と接続されることを特徴とする請求項１に記載の消火用ノズル。
【請求項３】
前記基管部には、把持部が設けられていることを特徴とする請求項２に記載の消火用ノズル。
【請求項４】
前記接続管部は、消火用水の水量を段階的に調整可能なバルブ部を有していることを特徴とする請求項１乃至３の何れかに記載の消火用ノズル。
【請求項５】
前記穿孔部は、略角錐形状に設けられていることを特徴とする請求項１乃至４の何れかに記載の消火用ノズル。
【考案の詳細な説明】
【技術分野】
【０００１】
本考案は、消火用ノズルに関し、より詳細には、穿孔部を有する消火用ノズルに関する。
【背景技術】
【０００２】
従来、所謂、ピアッシングノズルと呼称される穿孔部を有する消火用ノズルがある。ピアッシングノズルは、消防士等の消火活動に従事する者が、建造物内への侵入が困難な場合等や建造物の外部からの放水では建造物の内部に放水できない場合等に、ピアッシングノズルによる穿孔によって、該建造物の壁や扉等の穿孔部にノズルを貫通させ、該建造物内を消火するために用いられるものである（例えば、特許文献１を参照）。
【０００３】
この様なピアッシングノズルは、例えば、建造物の入口で火災が起こった場合や、建造物の入口まで火災が燃え広がってしまっており、該入口にある扉等を開けることができない場合等に、該扉等を穿孔して穴を開けて、該穴を介してノズルを建造物内に刺し入れて、扉の内側近傍を消火し、該扉を開放するためにも用いられることもある。
【０００４】
又、この様なピアッシングノズルは、穿孔する際に、ハンマ等で打撃力を加えられる様にハンマ受が設けられていると共にハンマで打撃力を加える関係上、略Ｌ字状に形成されている。
【先行技術文献】
【特許文献】
【０００５】
【特許文献１】米国特許第７０１７８３２号明細書
【考案の概要】
【考案が解決しようとする課題】
【０００６】
日本の住宅、特に、集合住宅においては、住居入口の扉前の廊下等のスペースが比較的狭い（狭いところでは、廊下の幅が0.7 m程度）ところが多い。一方、従来のピアッシングノズルは、建造物の壁等を貫通させることを前提としているため比較的大型（全長1 m以上）であると共にノズル本体に消防用ホースに直接接続させるものであるため、廊下等のスペースが狭い日本の住宅においては、消防士等がピアッシングノズルを現場まで運搬することが困難もしくは扉前のスペースの関係上、ピアッシングノズルを使用することができない等の問題が生じていた。
【０００７】
単に、従来のピアッシングノズルの全長を短くしたりすれば、本課題が解決できる様に思われるが、そうするとノズルに消火用水を給水した際に、反力が大きくなり、消火活動に支障が生じる可能性があるという新たな問題が生じる可能性がある。
【０００８】
そこで、本考案は、この様な日本の住宅事情を考慮し、より狭小なスペースで使用可能な穿孔部を有する消火用ノズルを提供することを目的とする。
【課題を解決するための手段】
【０００９】
本考案は、一端に穿孔部を有する噴霧部が、他端に衝打部が設けられた挿通管部と、該挿通管部に接続された基管部と、該基管部に接続された可撓管部と、一端が可撓管部に接続され、他端が給水手段に接続可能に設けられた接続管部とを備えた消火用ノズルであって、該挿通管部は、全長が1 m未満に形成されていることを特徴とする消火用ノズルである。
【００１０】
尚、本考案は、基管部を更に備えるものとし、該基管部が、前記挿通管部に接続され、前記可撓管部が、該基管部を介して該挿通管部と接続されるものとすることが可能である。又、本考案は、前記基管部に、把持部を設けることが可能である。又、本考案は、前記接続管部が、消火用水の水量を段階的に調整可能なバルブ部を有しているものとすることが可能である。又、本考案は、前記穿孔部を、略角錐形状に設けることが可能である。
【考案の効果】
【００１１】
本考案は、挿通管部と直接的又は間接的に接続される可撓管部を設け、該可撓管部を介して、挿通管部と接続管部とを接続したものとしたため、挿通管部の全長を1 m未満に形成しても可撓管部によって反力を抑えることができ、より狭小なスペースで使用可能である。
【図面の簡単な説明】
【００１２】
【図１】本考案の実施形態の側面図である。
【図２】本考案の実施形態における噴霧部を示す図であり、（ａ）は拡大側面図、（ｂ）は拡大正面図、（ｃ）は変形例の拡大側面図である。
【考案を実施するための形態】
【００１３】
本考案の実施形態を図１及び図２に基づき説明する。消火用ノズル１（以下、ノズル１という）は、ノズル本体２と、可撓管部３と、接続管部４と、を備えている。ノズル本体２は、挿通管部５と、基管部６と、を有しており、本実施形態においては、略Ｌ字形状を為している。尚、ノズル本体２には放水形状が異なる図２（ａ）と図２（ｃ）のノズルを適宜選択可能である。
【００１４】
挿通管部５は、建造物等の消火対象となる構造物の内部に挿通し、該構造物内を消火するために設けられ、下流側の端（先端）側に噴霧部７が、上流側の端（基端）側に衝打部８を有しており、全長が1 m未満に、好ましくは、0.5 m未満に、より好ましくは、0.4 m未満に形成されている。
【００１５】
噴霧部７は、先端側に穿孔部９を有していると共に消火用水を噴出するための複数の噴出孔１０が形成されている。穿孔部９は、先端が鋭利に形成されており、本実施形態においては、穿孔部９は略槍状をなしている。噴出孔１０は、必要に応じて任意の形状を採用することができ、例えば、噴出された消火用水が交差する様に異なる方向に開口した噴出孔１０を設けたり（図２（ａ）を参照）、下流側にある程角度が浅く形成された、先端側に開口する噴出孔１０（図２（ｃ）を参照）を設けたりすることが可能であり、前者は水霧状に、後者は略円錐状に消火用水を放水することが可能である。
【００１６】
噴霧部７は、穿孔部９を有することで、例えば、扉や窓等に穴を開けて、もしくは、ドアスコープや郵便受け等の既存の開口を利用して、前記構造物の内部へと挿通可能となっている。本実施形態において、挿通管部５には、噴霧部７の挿通深度を位置決めするための壁受１１が設けられている。又、穿孔部９は、略角錐形状、例えば、略四角錐形状，を為しており（図２（ｂ）を参照）、角張っていることで該開口を広げながら穿孔することが可能となっている。
【００１７】
衝打部８は、穿孔部９によって、前記扉等や既存の開口を穿孔する際に、穿孔部９に打撃力を加えるために設けられている。本実施形態においては、衝打部８は、ハンマ受となっており、ハンマＨで衝打部８を打ち付けることによって、前記扉等や既存の開口を穿孔可能となっている。尚、例えば、挿通管部５を摺動可能に設けられたハンマ筒（図示せず）を設け、衝打部８そのものにハンマ機能を持たせることも可能である。
【００１８】
基管部６は、挿通管部５に接続されており、本実施形態においては、その外面には穿孔部９で穿孔をする際に把持可能に設けられた把持部１２が設けられており、挿通管部５の基端より、略垂直方向へと延在する様に接続されている。基管部６に把持部１２があることによって、把持部１２の位置を噴出孔１０より離間させることが可能であり、それによって、消火用水を噴出させる際に、より安定してノズル１を保持することが可能である。
【００１９】
可撓管部３は、ノズル１に給水した際に生じる反力を抑え、ノズルを取回しやすくするために設けられており、直接的又は間接的に挿通管部５と接続されており、本実施形態においては、基管部６を介して挿通管部５と接続されている。
【００２０】
接続管部４は、先端側が可撓管部３に、基端側が給水手段の一例である消防用ホース（図示せず）に接続可能である。本実施形態においては、接続管部４は、基端側が受け金具１３として設けられており、該消防用ホース側に設けられた差し金具が差し込み可能となっている。又、接続管部４は、バルブ部１４を有しており、バルブ部１４よりも下流側で可撓管部３と接続されている。尚、接続管部４と該消防用ホースとの接続手段は、適宜選択可能であり、例えば、本実施形態の様な一方を他方に差し込んで係合させる所謂差込式のものの外、例えば、螺合によって接続する螺子式のものや、一対の金具を周方向に回転させて係合させる所謂中島式のもの等が採用可能である。
【００２１】
バルブ１４は、前記給水手段より給水された消火用水の水量を段階的に調整するために設けられている。扉等が火災の熱で熱せられてしまった場合や火炎からの輻射熱が強い場合、放水量を増やして十分な水霧で消防隊員を輻射熱から防御することができる。一方、室内で大量の消火用水を放水することは、近隣の水損等の二次災害の要因となるため、放水量を極力抑える必要がある。本実施形態においては、バルブ１４が設けられていることで、必要最小限の水を放水して消火活動を行うことが可能であるため、水損等の二次災害を防ぎ、より効率的な消火作業を行うことが可能となっている。
【００２２】
本実施形態においては、可撓管部３を介して挿通管部５と接続管部４とを接続したので、挿通管部５を、接続管部４から独立して、ある程度柔軟に動かすことができる。それによって、消火用水をノズル１に給水した際の反力を抑えることができ、挿通管部５を1 m未満としても、該反力によって消火活動に支障が生じるのを防止することが可能である。
【００２３】
本考案を、上記実施形態に基づき説明したが、本考案は、上記実施形態に限定されるものでなく、本考案の要旨を変更しない範囲で適宜変更可能である。
【符号の説明】
【００２４】
１    消火用ノズル            ２    ノズル本体              ３    可撓管部
４    接続管部                ５    挿通管部                ６    基管部
７    噴霧部                  ８    衝打部                  ９    穿孔部
１０  噴出孔                  １１  壁受                    １２  把持部
１３  受け金具                １４  バルブ部                Ｈ    ハンマ  
【図１】
0003226843.tif 000003
【図２】
0003226843.tif 000004